(57)【要約】【課題】拡大連写の印刷のとき、印刷枚数を少なくするか、情報欠損を防止するかを自動で判別する。【解決手段】画像形成装置は印刷用紙の印刷マージン領域を印刷しない。拡大連写を行う場合、制御部は拡大画像データを生成する。制御部は拡大画像データを分割する第１分割パターンを定める。第１分割パターンで分割したときののりしろの幅が基準幅以下の場合、情報欠損が生ずると判定したとき、制御部は、第２分割パターンで拡大画像データを分割する。情報欠損が生じないと判定したとき、制御部は、第１分割パターンで拡大画像データを分割する。【選択図】図４
2020182144.tif 000002
【特許請求の範囲】
【請求項１】
拡大連写を行う設定と、最終目的物のサイズである指定サイズと、前記拡大連写で印刷に用いる印刷用紙のサイズの設定を受け付ける受付部と、
前記印刷用紙に印刷を行う印刷部と、
印刷用紙のうち印刷マージン領域を印刷させず、前記印刷マージン領域外への印刷を前記印刷部に行わせる制御部と、を備え、
前記印刷マージン領域は、前記印刷用紙の端から予め定められたマージン幅だけ内側までの領域であり、
前記拡大連写を行う場合、
前記制御部は、
設定された前記指定サイズになるように原稿の画像データを拡大して拡大画像データを生成し、
前記印刷用紙とサイズが同じ分割領域で前記拡大画像データを分割する分割パターンとして、第１分割パターンを定め、
前記第１分割パターンは、前記分割領域間で隙間ができないように前記分割領域を配置し、かつ、前記分割領域の個数を最小とする分割パターンであり、
前記制御部は、
前記第１分割パターンで分割したときののりしろの幅が予め定められた基準幅以下であるか否かを確認し、
前記のりしろの幅が前記基準幅以下の場合、前記第１分割パターンで前記拡大画像データを分割したときの各前記分割領域での前記印刷マージン領域を確認して、情報欠損が生ずるか否かを判定し、
前記情報欠損が生ずると判定したとき、前記分割パターンとして第２分割パターンを定め、
前記第２分割パターンで前記拡大画像データを分割し、異なる前記印刷用紙への各前記分割領域の印刷を前記印刷部に行わせ、
前記情報欠損が生じないと判定したとき、前記第１分割パターンで前記拡大画像データを分割し、異なる前記印刷用紙への各前記分割領域の印刷を前記印刷部に行わせ、
前記のりしろは、前記分割領域の重なる部分であり、
前記第２分割パターンは、前記第１分割パターンよりも前記分割領域を増やし、前記のりしろの幅を前記基準幅よりも広くする分割パターンであり、
前記基準幅は、前記マージン幅よりも広いことを特徴とする画像形成装置。
【請求項２】
前記第２分割パターンを定めるとき、
前記制御部は、
ポートレートの前記分割領域で拡大画像データを分割するパターンであるポートレートパターンと、ランドスケープの前記分割領域で拡大画像データを分割するパターンであるランドスケープパターンを定め、
前記ポートレートパターンと前記ランドスケープパターンのうち、前記分割領域が少ない方のパターンを第２分割パターンと定めることを特徴とする請求項１に記載の画像形成装置。
【請求項３】
前記ポートレートパターンと前記ランドスケープパターンを定めるとき、
前記制御部は、
横方向での前記のりしろの幅が前記基準幅より広くなる配列数のうち、最小値を横方向での前記分割領域の配列数とし、
縦方向での前記のりしろの幅が前記基準幅より広くなる配列数のうち、最小値を縦方向での前記分割領域の配列数とすることを特徴とする請求項２に記載の画像形成装置。
【請求項４】
前記最終目的物の面積が前記印刷用紙の面積の整数倍の場合、
前記制御部は、前記分割領域間で隙間がなく、かつ、前記分割領域が重ならないように並べた前記第１分割パターンを定めることを特徴とする請求項１乃至３の何れか１項に記載の画像形成装置。
【請求項５】
前記制御部は、
前記第１分割パターンでの各分割領域の前記印刷マージン領域全体に含まれる画素であって、画素値が予め定められた濃度判定範囲外の画素の画素数を求め、
求めた前記画素数が予め定められた上限値を超えているとき、前記情報欠損が生ずると判定し、
求めた前記画素数が前記上限値以下のとき、前記情報欠損が生じないと判定することを特徴とする請求項１乃至４の何れか１項に記載の画像形成装置。
【発明の詳細な説明】
【技術分野】
【０００１】
本発明は、画像データを拡大し、拡大した画像データを分割し、分割した領域のそれぞれを異なる用紙に印刷する画像形成装置に関する。
【背景技術】
【０００２】
画像形成装置でポスター印刷機能を利用できるようにすることがある。ポスター印刷機能は、画像形成装置で印刷可能な最大サイズよりも大きい印刷物を得るために用いられる。ポスター印刷では１ページの内容が複数に分割される。それぞれを別の用紙に拡大印刷する。印刷後に用紙を貼り合わせる。これにより、ポスターのような大判の印刷物を得ることができる。ポスター印刷に関する技術の一例が特許文献１に記載されている。
【０００３】
具体的に、特許文献１には、記録を行う用紙のサイズより大きい印刷データの記録を行い、印刷データを複数の記録媒体に分割し、記録媒体の上下左右それぞれの端に、隣接する印刷データのインデックスを印刷する記録システムが記載されている。分割して拡大印刷する場合、目印（インデックス）を付すことにより、印刷枚数が多くても、各ページの上下左右の位置を把握しやすくしようとする（特許文献１：請求項１、段落［００１２］等参照）。
【先行技術文献】
【特許文献】
【０００４】
【特許文献１】特開２００６−０４０２１８号公報
【発明の概要】
【発明が解決しようとする課題】
【０００５】
用紙の端（縁）のぎりぎりまで印刷すると、画像形成装置内の部材が色材で汚れやすくなる。色材は、例えば、トナーやインクである。用紙の位置が少しでもずれると、用紙にのらなかった色材が部材を汚す。機内に撒かれた色材が故障のようなトラブルの原因となることがある。そのため、用紙の端まで印刷しないようにする画像形成装置がある。つまり、印刷物にマージンが設けられることがある。マージンは、白地のふちである。言い換えると、ふちあり印刷が行う画像形成装置がある。
【０００６】
また、拡大連写（ポスター印刷）の場合、１ページの内容を複数に分割する。分割したそれぞれの領域を別の用紙に印刷する。複数の用紙を貼り合わせ、１枚の大きな印刷物を得る。拡大連写のとき、１ページの内容を均等に分割することがある。例えば、貼り合わせ後のサイズをＡ１、印刷用紙のサイズがＡ３の場合を考える。Ａ１用紙の長辺は、Ａ３用紙の長辺の２倍である。また、Ａ１用紙の短辺は、Ａ３用紙の短辺の２倍である。この場合、１ページの内容を均等に４分割し、Ａ３用紙を４枚用いて拡大連写の印刷がなされる。得たい大判の印刷物と印刷用紙が同じ規格に準じたサイズの場合（例えばＡ型用紙やインチ系用紙）、１ページの内容を均等に分割することが多い。
【０００７】
１ページの内容を均等に分割する場合、分割する各領域は重ならない。一方、上述したように、印刷物にはマージンが設けられる。画像データ上、マージン部分に何らかの情報（例えば、文字や図形）があっても、カットされる。マージン部分には印刷がなされない。１ページの内容を均等に分割して拡大連写を行う場合、マージン部分の画像がカットされ、情報の欠損が生ずる場合があるという問題がある。ここでの情報は、例えば、文字、図形、模様、記号、表である。例えば、拡大連写の印刷物を貼り合わせたとき、文字、図形、模様の一部が消えてしまう。
【０００８】
特許文献１記載の技術では、貼り合わせるとき、隣り合うページがわかりやすい。しかし、拡大連写時、マージンによる情報欠損に関する記述はない。特許文献１記載の技術は、上記の問題を解決できない。
【０００９】
本発明は上記従来技術の問題点に鑑み、拡大連写の印刷のとき、印刷枚数を少なくするか、情報欠損を防止するかを自動で判別し、印刷物を貼り合わせたとき、目立つ情報欠損がないように、拡大連写の印刷を行う。
【課題を解決するための手段】
【００１０】
本発明に係る画像形成装置は、受付部、印刷部、制御部を含む。前記受付部は、拡大連写を行う設定と、最終目的物のサイズである指定サイズと、前記拡大連写で印刷に用いる印刷用紙のサイズの設定を受け付ける。前記印刷部は、前記印刷用紙に印刷を行う。前記制御部は、印刷用紙のうち印刷マージン領域を印刷させず、前記印刷マージン領域外への印刷を前記印刷部に行わせる。前記印刷マージン領域は、前記印刷用紙の端から予め定められたマージン幅だけ内側までの領域である。前記拡大連写を行う場合、前記制御部は、設定された前記指定サイズになるように原稿の画像データを拡大して拡大画像データを生成する。前記制御部は、前記印刷用紙とサイズが同じ分割領域で前記拡大画像データを分割する分割パターンとして、第１分割パターンを定める。前記第１分割パターンは、前記分割領域間で隙間ができないように前記分割領域を配置し、かつ、前記分割領域の個数を最小とする分割パターンである。前記制御部は、前記第１分割パターンで分割したときののりしろの幅が予め定められた基準幅以下であるか否かを確認する。前記のりしろの幅が前記基準幅以下の場合、前記制御部は、前記第１分割パターンで前記拡大画像データを分割したときの各前記分割領域での前記印刷マージン領域を確認して、情報欠損が生ずるか否かを判定する。前記情報欠損が生ずると判定したとき、前記制御部は、前記分割パターンとして第２分割パターンを定める。前記制御部は、前記第２分割パターンで前記拡大画像データを分割し、異なる前記印刷用紙への各前記分割領域の印刷を前記印刷部に行わせる。前記情報欠損が生じないと判定したとき、前記制御部は、前記第１分割パターンで前記拡大画像データを分割し、異なる前記印刷用紙への各前記分割領域の印刷を前記印刷部に行わせる。前記のりしろは、前記分割領域の重なる部分である。前記第２分割パターンは、前記第１分割パターンよりも前記分割領域を増やし、前記のりしろの幅を前記基準幅よりも広くする分割パターンである。前記基準幅は、前記マージン幅よりも広い。
【発明の効果】
【００１１】
本発明によれば、拡大連写の印刷のとき、印刷枚数を少なくするか、情報欠損を防止するかを自動で判別することができる。印刷物を貼り合わせたとき、目立つ情報欠損がないように、拡大連写の印刷を行うことができる。
【図面の簡単な説明】
【００１２】
【図１】実施形態に係る複合機の一例を示す図である。
【図２】実施形態に係る拡大連写機能の設定の一例を示す図である。
【図３】実施形態に係る複合機での印刷マージン領域の一例を示す図である。
【図４】実施形態に係る複合機での拡大連写の印刷の流れの一例を示す図である。
【図５】実施形態に係る第１分割パターンの一例を示す図である。
【図６】実施形態に係る各分割領域の印刷マージン領域の一例を示す図である。
【図７】実施形態に係る第１分割パターンで拡大連写の印刷を行っても情報欠損が生じないと判定する場合の一例を示す。
【図８】実施形態に係るポートレートパターンの設定の一例を示す。
【図９】実施形態に係るランドスケープパターンの設定の一例を示す。
【発明を実施するための形態】
【００１３】
以下、図１〜図９を用いて本発明の実施形態に係る画像形成装置を説明する。以下では、画像形成装置の一例として複合機を例に挙げて説明する。以下の本実施の形態に記載されている構成、配置等の各要素は、発明の範囲を限定せず、単なる説明例にすぎない。
【００１４】
（複合機１００）
図１を用いて、実施形態に係る複合機１００を説明する。図１は、実施形態に係る複合機１００の一例を示す図である。
【００１５】
図１に示すように、複合機１００は、制御部１、記憶部２、画像読取部３、操作パネル４（受付部に相当）、印刷部５を含む。
【００１６】
制御部１は複合機１００の動作を制御する。制御部１は、コピーや送信のようなジョブでの動作を制御する。制御部１は、制御回路１０、画像処理回路１１、画像データ生成部１２、通信部１３（受付部に相当）を含む。制御回路１０は、例えば、ＣＰＵである。制御回路１０は、ジョブに関する処理、演算を行う。
【００１７】
画像データ生成部１２は、画像読取部３が原稿を読み取って出力したアナログ画像信号を処理する。そして、画像データ生成部１２は読取画像データを生成する。制御部１は生成した読取画像データを記憶部２に記憶させる。画像データ生成部１２は、例えば、アナログ画像信号を処理する回路を含む。アナログ画像信号を処理する回路は、例えば、増幅回路、オフセット回路、Ａ／Ｄ変換回路である。Ａ／Ｄ変換回路は、増幅回路、オフセット回路が調整したアナログ画像信号をディジタルデータ（読取画像データ）に変換する。例えば、画像データ生成部１２は、グレー（モノクロ）の読取画像データを生成する（カラーでもよい）。例えば、画像データ生成部１２は、１画素８〜１０ビットの読取画像データを生成する。
【００１８】
また、画像データ生成部１２は補正回路を含んでもよい。補正回路は、例えば、画像読取部３（ランプ、イメージセンサー）の特性に起因する歪みを補正する。例えば、補正回路は、シェーディング補正回路を含む。シェーディング補正回路は、読取画像データのシェーディング補正を行う。
【００１９】
通信部１３は通信用のハードウェア（通信回路）とソフトウェアを含む。通信部１３はコンピューター２００と通信する。コンピューター２００は、例えば、ＰＣやサーバーである。操作パネル４は宛先の設定を受け付ける。送信ジョブのとき、制御部１は、設定された宛先に向けて、出力用画像データを通信部１３に送信させる（スキャン送信）。また、通信部１３はコンピューター２００やＦＡＸ装置３００からの印刷用データを受信する。印刷用データは、例えば、ページ記述言語で記述されたデータを含む。制御部１（画像処理回路１１）は、ページ記述言語で記述されたデータを解析して画像データを生成する。生成した画像データに基づき、制御部１は印刷部５に印刷させる（プリントジョブ）。
【００２０】
例えば、画像処理回路１１はＡＳＩＣである。画像処理回路１１は、読取画像データ又は生成した画像データの画像処理を行って、出力用画像データを生成する。出力用画像データはジョブに用いられる。ジョブとしては、例えば、印刷ジョブや送信ジョブがある。
【００２１】
記憶部２はＲＡＭ、ＲＯＭ、ストレージを含む。ストレージは、例えば、ＨＤＤ又はＳＳＤである。制御部１は、記憶部２のプログラムやデータに基づき、各部を制御する。
【００２２】
画像読取部３は原稿を読み取る。画像読取部３は、例えば、原稿台（コンタクトガラス）、ランプ、イメージセンサーを含む。原稿を読み取るとき、制御部１は、原稿台にセットされた原稿への光の照射をランプに行わせる。原稿で反射された光はイメージセンサーに入射される。イメージセンサーは、複数の受光素子を含む。イメージセンサーは原稿を読み取る。各受光素子は受光量に応じたアナログ画像信号を出力する。アナログ画像信号は制御部１に入力される。入力されたアナログ画像信号に基づき、制御部１（画像データ生成部１２）は画像データを生成する。
【００２３】
操作パネル４は使用者の設定を受け付ける。操作パネル４は、表示パネル４１、タッチパネル４２、ハードキー４３を含む。制御部１は、メッセージや、設定用画面を表示パネル４１に表示させる。制御部１は、操作用画像を表示パネル４１に表示させる。操作用画像は、例えば、ボタン、キー、タブである。タッチパネル４２の出力に基づき、制御部１は、操作された操作用画像を認識する。ハードキー４３は、スタートキーやテンキーを含む。タッチパネル４２、ハードキー４３は使用者の設定操作（ジョブに関する操作）を受け付ける。例えば、操作パネル４は、原稿の読取に関する設定を受け付ける。例えば、操作パネル４は、読み取る原稿サイズの設定を受け付ける。制御部１は操作パネル４の出力に基づき、設定内容を認識する。
【００２４】
印刷部５は、給紙部５ａ、用紙搬送部５ｂ、画像形成部５ｃ、定着部５ｄを含む。給紙部５ａは給紙カセット、給紙ローラーを含む。給紙カセットは用紙を収容する。給紙ローラーは用紙を送り出す。印刷ジョブのとき、制御部１は用紙を給紙部５ａに供給させる。用紙搬送部５ｂは、用紙搬送用の搬送ローラー対、搬送モーターを含む。搬送ローラー対は用紙を搬送する。搬送モーターは搬送ローラー対を回転させる。制御部１は用紙を用紙搬送部５ｂに搬送させる。
【００２５】
画像形成部５ｃは、例えば、感光体ドラム、帯電装置、露光装置、現像装置、転写ローラーを含む。出力用画像データに基づき、制御部１はトナー像を画像形成部５ｃに形成させる。制御部１は搬送用紙へのトナー像の転写を画像形成部５ｃに行わせる。定着部５ｄは、ヒーター、定着用回転体、定着用モーターを含む。ヒーターは定着用ローラーを熱する。用紙は定着用回転体と接しつつ搬送される。これにより、トナー像が用紙に定着する。制御部１は転写されたトナー像の用紙への定着を定着部５ｄに行わせる。用紙搬送部５ｂは印刷済み用紙を機外に排出する。
【００２６】
（拡大連写機能）
次に、図２を用いて、実施形態に係る複合機１００が有する拡大連写機能の一例を説明する。図２は、実施形態に係る拡大連写機能の設定の一例を示す図である。
【００２７】
複合機１００では、拡大連写機能を用いることができる。拡大連写機能は、得たい大判の印刷物よりも小さい印刷用紙Ｐで印刷し、印刷された用紙を組み合わせて（貼り合わせて）大判の印刷物を得る機能である。
【００２８】
拡大連写機能を用いるとき、制御部１（画像処理回路１１）は、取得した画像データを拡大して拡大画像データ６を生成する。制御部１は、得たい大判サイズの拡大画像データ６を生成する。制御部１は、拡大画像データ６を複数の領域に分割する。言い換えると、制御部１は、拡大画像データ６について、複数の分割領域７を設定する。制御部１は、分割領域７ごとの印刷を印刷部５に行わせる。使用者は印刷物を貼り合わせる。例えば、大きなポスター（掲示用印刷物）を得たい場合、拡大連写機能が用いられる。
【００２９】
図２を用いて、拡大連写機能を用いる場合の設定の流れの一例を説明する。図２では、コピージョブでの拡大連写機能の設定の一例を説明する。言い換えると、原稿を読み取って拡大連写機能を用いて印刷する場合の一例を説明する。なお、拡大連写のコピージョブのとき、操作パネル４が受付部として機能する。
【００３０】
図２のスタートは、拡大連写機能の設定を開始する時点である。操作パネル４は、拡大連写機能の設定画面を表示させる操作を受け付ける（ステップ♯１１）。当該操作がなされたとき、制御部１は、拡大連写機能設定画面を表示パネル４１に表示させる（ステップ♯１２）。
【００３１】
拡大連写機能設定画面において、操作パネル４は、印刷に用いる用紙（印刷用紙Ｐ）の用紙サイズの設定を受け付ける（ステップ♯１３）。この設定に基づき、制御部１は、印刷用紙Ｐのサイズを認識する（ステップ♯１４）。なお、サイズ設定にあわせて、操作パネル４は、印刷用紙Ｐの向き（給紙部５ａにセットされている用紙の向き）の設定を受け付ける。操作パネル４は、長辺縦向き（ポートレート）と長辺横向き（ランドスケープ）の何れかの選択を印刷用紙Ｐの向きの設定として受け付ける。ポートレートの場合、用紙搬送方向と印刷用紙Ｐの短辺が平行となる。ランドスケープの場合、用紙搬送方向と印刷用紙Ｐの長辺が平行となる。なお、給紙部５ａの給紙カセットにセットされた用紙のサイズと向きを検知する用紙センサーを設けてもよい。制御部１は、用紙センサーの出力に基づき、印刷用紙Ｐの向きやサイズを認識してもよい。この場合、ステップ♯１３は無くてもよい。
【００３２】
また、拡大連写機能設定画面において、操作パネル４は、指定サイズの設定を受け付ける（ステップ♯１５）。指定サイズは、最終目的物（貼り合わせにより得たい大判用紙のサイズ）のサイズである。例えば、定形のサイズ中から、指定サイズを選択することができる。この設定に基づき、制御部１は、最終目的物のサイズ（指定サイズ）を認識する（ステップ♯１６）。
【００３３】
なお、指定サイズの設定にあわせ、操作パネル４は、最終目的物の向きの設定を受け付ける。操作パネル４は、長辺縦向き（ポートレート）と長辺横向き（ランドスケープ）の何れかの選択を最終目的物の向きの設定として受け付ける。ポートレートの場合、最終目的物の長辺が縦向きとなる。ランドスケープの場合、最終目的物の長辺が横向きとなる。
【００３４】
また、拡大連写機能設定画面において、操作パネル４は、原稿サイズと向きの設定を受け付ける（ステップ♯１７）。この設定に基づき、制御部１は、セットされた原稿のサイズと向きを認識する（ステップ♯１８）。そして、拡大連写機能の設定が終わる（エンド）。なお、原稿サイズを検知するセンサーと、向きを検知するセンサーの出力に基づき、制御部１は、セットされた原稿サイズと向きを認識してもよい。この場合、ステップ♯１７は無くてもよい。
【００３５】
拡大連写機能の設定後、使用者は、コピージョブの実行開始指示を行う。操作パネル４は、コピージョブの実行開始指示を受け付ける。この指示に基づき、制御部１は、コピージョブの実行制御を開始する。
【００３６】
なお、プリントジョブでも拡大連写可能としてもよい。言い換えると、コンピューター２００から送信される印刷用データに基づき、拡大連写の印刷が行われてもよい。この場合、通信部１３が受付部として機能する。
【００３７】
具体的に、コンピューター２００は、拡大連写機能設定画面をコンピューター２００のディスプレイに表示させる。そして、コンピューター２００の入力デバイスは、ステップ♯１３、ステップ♯１５、ステップ♯１７の設定を受け付ける。入力デバイスは、例えば、マウス、キーボードである。コンピューター２００は、拡大連写機能を用いることを示すデータ、及び、ステップ♯１３、ステップ♯１５、ステップ♯１７の設定を示すデータを送信する印刷用データに含める。受信した印刷用データに含まれる各データに基づき、制御部１は、拡大連写の印刷を行うこと、最終目的物のサイズと向き、印刷用紙Ｐのサイズと向き、原稿サイズと向きを認識する。
【００３８】
（印刷マージン領域Ｍ１）
次に、図３を用いて、実施形態に係る複合機１００での印刷マージン領域Ｍ１の一例を説明する。図３は、実施形態に係る複合機１００での印刷マージン領域Ｍ１の一例を示す図である。
【００３９】
制御部１は、印刷部５に印刷させる。印刷のとき、制御部１は、印刷用紙Ｐのうち、印刷マージン領域Ｍ１に色材（トナー）をのせない。制御部１は、印刷マージン領域Ｍ１への印刷を印刷部５に行わせない。一方、印刷のとき、制御部１は、印刷用紙Ｐのうち、印刷領域Ｍ２に色材（トナー）をのせる。印刷領域Ｍ２は、印刷用紙Ｐのうち、印刷マージン領域Ｍ１ではない領域である。つまり、制御部１は、印刷用紙Ｐのうち、印刷マージン領域Ｍ１外の領域への印刷を印刷部５に行わせる。
【００４０】
図３は、印刷用紙Ｐの一例を示す。印刷マージン領域Ｍ１は、印刷用紙Ｐの端からマージン幅Ｗ０だけ内側までの領域である。図３に示すように、印刷マージン領域Ｍ１は、ロ字状となる。マージン幅Ｗ０は予め定められる。例えば、マージン幅Ｗ０は、３〜５ｍｍ程度である。印刷用紙Ｐのぎりぎりまで印刷すると、印刷用紙Ｐの位置が少しずれただけで、色材（トナー）が機内の部材に付着する。機内の部材へのトナーの付着量が多くなると、故障や画質異常が生じ得る。そこで、複合機１００は、印刷用紙Ｐのうち、印刷マージン領域Ｍ１に印刷しない。
【００４１】
印刷マージン領域Ｍ１に印刷しないように、制御部１（画像処理回路１１）は、画像データを加工する。制御部１は、画像データのうち、印刷マージン領域Ｍ１に対応する画素の画素値を、真っ白を示す値に置き換える。
【００４２】
（拡大連写の印刷の流れ）
次に、図４〜図９を用いて、実施形態に係る複合機１００での拡大連写の印刷の流れの一例を説明する。図４は、実施形態に係る複合機１００での拡大連写の印刷の流れの一例を示す図である。図５は、実施形態に係る第１分割パターンの一例を示す図である。図６は、実施形態に係る各分割領域７の印刷マージン領域Ｍ１の一例を示す図である。図７は、実施形態に係る第１分割パターンで拡大連写の印刷を行っても情報欠損が生じないと判定する場合の一例を示す。図８は、実施形態に係るポートレートパターンの設定の一例を示す。図９は、実施形態に係るランドスケープパターンの設定の一例を示す。
【００４３】
例えば、制御部１のうち制御回路１０が図４の処理を行う。図４のスタートは拡大連写の印刷を開始する時点である。拡大連写のコピージョブの場合、操作パネル４がコピージョブの実行開始指示を受け付けた時点である。拡大連写のプリントジョブの場合、拡大連写機能を用いる印刷用データを通信部１３が受信した時点である。
【００４４】
まず、制御部１は、原稿の画像データを取得する（ステップ♯２１）。拡大連写のコピージョブの場合、制御部１はセットされた原稿の読み取りを画像読取部３に行わせる。画像読取部３の読み取りに基づき、制御部１（画像データ生成部１２）は、原稿の画像データを生成する。拡大連写のプリントジョブの場合、制御部１（画像処理回路１１）は、受信した印刷用データから原稿の画像データを生成する。
【００４５】
次に、制御部１（画像処理回路１１）は、拡大画像データ６を生成する（ステップ♯２２）。具体的に、制御部１は、原稿の画像データを拡大する。制御部１は拡大率を求める。制御部１は、設定された原稿サイズと、最終目的物のサイズ（指定サイズ）の比率に基づき、拡大率を求める。例えば、原稿サイズがＡ３で指定サイズがＡ１の場合や、原稿サイズがＬｅｄｇｅｒで指定サイズが２２×３４インチの場合、制御部１は、拡大率として２００％を求める。制御部１は、原稿の画像データを求めた拡大率で拡大し、拡大画像データ６を生成する。制御部１は、指定サイズになるように原稿の画像データを拡大して拡大画像データ６を生成する。
【００４６】
次に、制御部１は、第１分割パターンを定める（ステップ♯２３）。分割パターンは、拡大画像データ６を分割領域７で分割するパターンである。拡大画像データ６の分割では、分割領域７と分割領域７の間に隙間ができないように、分割領域７が並べられる。
【００４７】
分割領域７は印刷用紙Ｐとサイズが同じである。分割領域７は矩形である。分割領域７の向きとしては、ポートレイト（長辺縦向）、ランドスケープ（長辺横向）の２種類がある。そして、第１分割パターンは、分割領域７の個数が最も少ない分割パターンである。拡大連写では、それぞれの分割領域７の内容を別の用紙に印刷する。そのため、分割領域７が少ないほど、消費する印刷用紙Ｐの枚数が少なくなる。従って、第１分割パターンは、印刷枚数が最も少なくなる分割パターンといえる。
【００４８】
例えば、記憶部２は、指定可能な印刷用紙Ｐの向き、サイズと指定可能な最終目的物の向き、サイズ（指定サイズ）の組み合わせごとに、第１分割パターンを定めたパターン定義データ２１を不揮発的に記憶する。パターン定義データ２１では、指定サイズの種類ごとに、分割領域７の向きと分割領域７の並べ方（拡大画像データ６の分割の仕方）が定義される。パターン定義データ２１を参照し、制御部１は、第１分割パターンを定める。
【００４９】
図５を用いて、第１分割パターンの一例を説明する。図５は、印刷用紙ＰがＡ３サイズ、最終目的物のサイズ（指定サイズ）がＡ１サイズの場合の第１分割パターンの一例を示す。第１分割パターンでは、分割領域７（Ａ３サイズ）の個数は４つとなる。Ａ型用紙をＡ型用紙に拡大するので、図５の第１分割パターンでは、分割領域７が重ならずに並べられる。
【００５０】
分割領域７の内、最も上に位置する分割領域７は、上端辺と拡大画像データ６の上辺と重なるように配置される。分割領域７の内、最も下に位置する分割領域７は、下端辺と拡大画像データ６の下辺と重なるように配置される。分割領域７の内、最も左に位置する分割領域７については、左端辺と拡大画像データ６の左辺と重なるように配置される。分割領域７の内、最も右に位置する分割領域７については、右端辺と拡大画像データ６の右辺と重なるように配置される。
【００５１】
図５のように、分割領域７が重ならない場合、分割領域７の重複部分（のりしろ８）はない。なお、分割領域７が重なる場合、制御部１は、重なっている部分（のりしろ８）では、同じ内容（画像）を印刷部５に印刷させる。言い換えると、隣接する分割領域７の印刷物では、のりしろ８の印刷内容が同じとなる（印刷マージン領域Ｍ１を除く）。例えば、２枚の用紙ののりしろ８の印刷内容が同じ場合、用紙を貼り付けるとき、一方の用紙ののりしろ８を切り取ってもよい。なお、印刷マージン領域Ｍ１は切り取る必要がある。
【００５２】
印刷用紙ＰのサイズがＡ３で最終目的物のサイズ（指定サイズ）がＡ１の場合（面積４倍の場合）、分割領域７のサイズはＡ３サイズと定義される。また、分割領域７の向きは、最終目的物の向きと同じ向きと定義される。最終目的物の向きがポートレートの場合、分割領域７の向きもポートレートと定義される。最終目的物の向きがランドスケープの場合、分割領域７の向きはランドスケープと定義される。印刷用紙Ｐのサイズの長辺と最終目的物の長辺が整数倍のとき、最終目的物の向きと分割領域７の向きは同じとなる。
【００５３】
なお、面積４倍の場合としては、印刷用紙ＰのサイズがＡ４で最終目的物のサイズ（指定サイズ）がＡ２の場合、印刷用紙Ｐのサイズがレターサイズで最終目的物が１７×２２インチの場合、印刷用紙ＰのサイズがＬｅｄｇｅｒサイズで最終目的物が２２×３４インチの場合などがある。
【００５４】
印刷用紙ＰのサイズがＡ３で最終目的物のサイズ（指定サイズ）がＡ２の場合（面積２倍の場合）、分割領域７のサイズはＡ３サイズと定義される。また、分割領域７の向きは、最終目的物の向きと９０度異なる向きと定義される。最終目的物の向きがポートレートの場合、分割領域７の向きはランドスケープと定義される。最終目的物の向きがランドスケープの場合、分割領域７の向きはポートレートと定義される。分割領域７で拡大画像データ６を２分割するように、分割領域７が配置される。印刷用紙Ｐのサイズの長辺が最終目的物の短辺の整数倍のとき、最終目的物の向きと分割領域７の向きは９０度異なることがある。
【００５５】
なお、面積２倍の場合としては、印刷用紙ＰのサイズがＡ４で最終目的物がＡ３の場合、印刷用紙Ｐのサイズがレターサイズで最終目的物がＬｅｄｇｅｒサイズの場合、印刷用紙ＰのサイズがＬｅｄｇｅｒサイズで最終目的物が１７×２２インチの場合などがある。
【００５６】
なお、拡大連写は、最終目的物の面積が印刷用紙Ｐの面積の整数倍となる場合に限られない。選択可能な印刷用紙Ｐと選択可能な最終目的物の組み合わせごとに、第１分割パターンが定義される。選択した印刷用紙Ｐと選択した最終目的物の組み合わせによっては、分割領域７の重複部分（のりしろ８）がゼロではない場合もあり得る。
【００５７】
第１分割パターンを定めた後（ステップ♯２３の後）、制御部１は、第１分割パターンで分割したときののりしろ８の幅が予め定められた基準幅２２以下であるか否かを確認する（ステップ♯２４）。のりしろ８の幅とは、分割領域７が隣接しあう方向での幅である。縦方向（上下方向）で分割領域７が重複している部分では、のりしろ８の幅とは、重複部分の縦方向の幅である。横方向（左右方向）で分割領域７が重複している部分では、のりしろ８の幅とは、重複部分の横方向の幅である。なお、最終目的物の面積が印刷用紙Ｐの面積の整数倍のとき、のりしろ８の幅はゼロとなる。
【００５８】
基準幅２２は予め定められる。記憶部２は、基準幅２２を不揮発的に記憶する。基準幅２２は、マージン幅Ｗ０よりも広い。例えば、マージン幅Ｗ０が５ｍｍの場合、基準幅２２は１０ｍｍとできる。マージン幅Ｗ０が変更された場合、制御部１は、変更後のマージン幅Ｗ０よりも広くなるように基準幅２２を変更する。
【００５９】
幅が基準幅２２以下ののりしろ８があるとき（ステップ♯２４のＹｅｓ）、制御部１は、第１分割パターンで拡大画像データ６をするときの各分割領域７の印刷マージン領域Ｍ１を確認する（ステップ♯２５）。図６は、印刷用紙ＰがＡ３サイズであり、最終目的物のサイズ（指定サイズ）がＡ１の場合を示す。図６では、各分割領域７の印刷マージン領域Ｍ１を網掛けで図示している。
【００６０】
そして、制御部１は、第１分割パターンで拡大連写を行うと情報欠損が生ずるか否かを判定する（ステップ♯２６）。ここで、情報欠損が生ずるか否かの判定のため、濃度判定範囲２３が予め定められる。記憶部２は、濃度判定範囲２３を不揮発的に記憶する。
【００６１】
濃度判定範囲２３は、白色とみなす画素値の範囲である。言い換えると、濃度判定範囲２３は、低濃度画素とみなす画素値の範囲である。一般に、文字、図形、模様、表のような情報は高濃度の画素により描かれる。各分割領域７の印刷マージン領域Ｍ１に高濃度画素がなければ、マージン確保のために白色に変換される高濃度画素がない。各分割領域７の印刷マージン領域Ｍ１の高濃度画素が少なければ、白色に変換しても失われる情報が少ないと考えられる。
【００６２】
制御部１は、各分割領域７の印刷マージン領域Ｍ１全体に含まれる画素であって、画素値が濃度判定範囲２３外の画素（高濃度画素）の画素数を求める。求めた画素数が予め定められた上限値２４を超えているとき、制御部１は情報欠損が生ずると判定する。一方、求めた画素数が上限値２４以下のとき、制御部１は、情報欠損が生じないと判定する。
【００６３】
記憶部２は、上限値２４を不揮発的に記憶する。操作パネル４は、上限値２４の設定を受け付けてもよい。この場合、制御部１は、設定された上限値２４を用いて判定する。上限値２４は０よりも大きい。上限値２４は、原稿台の汚れを考慮した値とすることができる。例えば、上限値２４は、０〜数十ドットの範囲内の何れかの値とできる。例えば、図６の場合、制御部１は、情報欠損が生ずると判定する。
【００６４】
一方、図７は、第１分割パターンで拡大連写の印刷を行っても情報欠損が生じないと判定する場合の一例を示す。図７に示すように、各分割領域７の印刷マージン領域Ｍ１に、情報（文字、図形、模様、記号）が重なっていない場合、制御部１は、情報欠損が生じないと判定する。
【００６５】
のりしろ８の幅が基準幅２２を超えているとき（ステップ♯２４のＮｏ）、又は、第１分割パターンで拡大連写を行っても情報欠損が生じないと判定したとき（ステップ♯２６のＮｏ）、制御部１は、第１分割パターンで拡大画像データ６を分割する（ステップ♯２７）。そして、制御部１は、異なる印刷用紙Ｐへの各分割領域７の印刷を印刷部５に行わせる（ステップ♯２８）。
【００６６】
一方、第２分割パターンで拡大連写を行うと情報欠損が生ずると判定したとき（ステップ♯２６のＹｅｓ）、制御部１は、ポートレートパターンとランドスケープパターンを定める（ステップ♯２９）。そして、制御部１は、ポートレートパターンとランドスケープパターンのうち、分割領域７が少ない方のパターンを第２分割パターンと定める（ステップ♯２１０）。第２分割パターンは、第１分割パターンよりも分割領域７（印刷用紙Ｐ）の枚数を増やした分割パターンである。第２分割パターンでは、第１分割パターンよりものりしろ８の幅を広くする分割パターンである。
【００６７】
図８を用いて、ポートレートパターンの定め方の一例を説明する。図９を用いて、ランドスケープパターンの定め方の一例を説明する。図８、図９の例では、印刷用紙Ｐ（分割領域７）のサイズがＡ３サイズであり、最終目的物のサイズ（指定サイズ）がＡ１サイズである。また、図８、図９では、分割領域７の重複部分（のりしろ８）を網掛けで図示している。さらに、図８、図９では、それぞれの分割領域７について、行を示す数字と列を示す数字をハイフンでつないだ目印を付している。
【００６８】
ポートレートパターンは、ポートレイト（長辺縦向）の分割領域７で拡大画像データ６を分割するパターンである。ランドスケープパターンは、ランドスケープ（長辺横向）の分割領域７で拡大画像データ６を分割するパターンである。何れのパターンでも、分割領域７のサイズは、印刷用紙Ｐに対応したサイズである。
【００６９】
図８は、ポートレートパターンの設定の一例を示す。ポートレートパターンの場合、分割領域７の向きはポートレートとされる。そして、縦方向ののりしろ８の幅が基準幅２２を超えるように、以下の（式１）に基づき、制御部１は、ポートレートパターンでの縦方向の分割領域７の配列数を求める。（式１）は、縦方向に並べた分割領域７の長辺の長さの合計と、縦方向ののりしろ８の個数と基準幅２２を乗じた値と、の合計が最終目的物の縦方向の幅よりも大きくなる正の整数ｍを求めるための式である。
（式１）  Ａ１  ＜  Ｂ１×ｍ＋Ｃ（ｍ−１）
Ａ１＝最終目的物の縦方向の幅
Ｂ１＝分割領域７（印刷用紙Ｐ）の長辺の長さ
Ｃ＝基準幅２２
制御部１は、（式１）を満たすｍのうち、最小値を求める。
【００７０】
また、ポートレートパターンの場合、横方向ののりしろ８の幅が基準幅２２を超えるように、以下の（式２）に基づき、制御部１は、ポートレートパターンでの横方向の分割領域７の配列数を求める。（式２）は、横方向に並べた分割領域７の短辺の長さの合計と、横方向でののりしろ８の個数と基準幅２２を乗じた値と、の合計が最終目的物の横方向の幅よりも大きくなる正の整数ｎを求めるための式である。
（式２）  Ａ２  ＜  Ｂ２×ｎ＋Ｃ（ｎ−１）
Ａ２＝最終目的物の横方向の幅
Ｂ２＝分割領域７（印刷用紙Ｐ）の短辺の長さ
Ｃ＝基準幅２２
制御部１は、（式２）を満たすｎのうち、最小値を求める。
【００７１】
そして、制御部１は、縦方向にｍ行並べ、横方向にｎ列並べた分割領域７で拡大画像データ６を分割する。この場合、制御部１は、分割領域７の上端と拡大画像データ６の上端が一致するように、１行目の分割領域７を配置する。制御部１は、分割領域７の下端と拡大画像データ６の下端が一致するように、ｍ行目の分割領域７を配置する。制御部１は、分割領域７の端と、大画像データの左端が一致するように、１列目の分割領域７を配置する。制御部１は、分割領域７の端と拡大画像データ６の右端が一致するように、ｎ列目の分割領域７を配置する。
【００７２】
また、制御部１は、分割領域７の左上隅と拡大画像データ６の左上隅とが一致するように、１行１列目の分割領域７を配置する。制御部１は、分割領域７の左下隅と、拡大画像データ６の左下隅とが一致するように、ｍ行１列目の分割領域７を配置する。制御部１は、分割領域７の右上隅と、拡大画像データ６の右上隅とが一致するように、１行ｎ列目の分割領域７を配置する。制御部１は、分割領域７の右下隅と、拡大画像データ６の右下隅とが一致するように、ｍ行ｎ列目の分割領域７を配置する。
【００７３】
また、制御部１は、縦方向で隣接する分割領域７において、各のりしろ８の縦方向の幅が等しくなるように、分割領域７を配置する。制御部１は、横方向で隣接する分割領域７において、各のりしろ８の横方向の幅が等しくなるように、分割領域７を配置する。
【００７４】
図８に示すように、印刷用紙Ｐ（分割領域７）のサイズがＡ３サイズであり、最終目的物がＡ１サイズである場合、ポートレートパターンでのｍは３となる（ｍ＝３）。また、ｎも３となる（ｎ＝３）となる。この場合、制御部１は、拡大画像データ６を９個（３×３）の分割領域７で分割する。図８では、各分割領域７に異なる網掛けを施している。分割領域７が重なっている部分（図８において網掛けが重なっている部分）がのりしろ８となる。のりしろ８を基準幅２２以上とするので、印刷マージン領域Ｍ１に情報が含まれていても、欠損する情報がない。
【００７５】
次に、図９を用いて、ランドスケープパターンの設定を説明する。ランドスケープパターンの場合、分割領域７の向きはランドスケープとされる。そして、縦方向ののりしろ８の幅が基準幅２２を超えるように、以下の（式３）に基づき、制御部１は、ランドスケープパターンでの縦方向の分割領域７の配列数を求める。（式３）は、縦方向に並べた分割領域７（印刷用紙Ｐ）の短辺の長さの合計と、縦方向ののりしろ８の個数と基準幅２２を乗じた値と、の合計が最終目的物の縦方向の幅よりも大きくなる正の整数ｐを求めるための式である。
（式３）  Ａ１  ＜  Ｂ２×ｐ＋Ｃ（ｐ−１）
Ａ１＝最終目的物の縦方向の幅
Ｂ２＝分割領域７（印刷用紙Ｐ）の短辺の長さ
Ｃ＝基準幅２２
制御部１は、（式３）を満たすｐのうち、最小値を求める。
【００７６】
また、ランドスケープパターンの場合、横方向ののりしろ８の幅が基準幅２２を超えるように、以下の（式４）に基づき、制御部１は、ランドスケープパターンでの横方向の分割領域７の配列数を求める。（式４）は、横方向に並べた分割領域７の長辺の長さの合計と横方向でののりしろ８の個数と基準幅２２を乗じた値との合計が最終目的物の横方向の幅よりも大きくなる正の整数ｑを求めるための式である。
（式４）  Ａ２  ＜  Ｂ１×ｑ＋Ｃ（ｑ−１）
Ａ２＝最終目的物の横方向の幅
Ｂ１＝分割領域７（印刷用紙Ｐ）の長辺の長さ
Ｃ＝基準幅２２
制御部１は、（式４）を満たすｑのうち、最小値を求める。
【００７７】
そして、制御部１は、縦方向にｐ行並べ、横方向にｑ列並べた分割領域７で拡大画像データ６を分割する。この場合、制御部１は、分割領域７の上端と、拡大画像データ６の上端が一致するように、１行目の分割領域７を配置する。制御部１は、分割領域７の下端と、拡大画像データ６の下端が一致するように、ｐ行目の分割領域７を配置する。制御部１は、分割領域７の端と、拡大画像データ６の左端が一致するように、１列目の分割領域７を配置する。制御部１は、分割領域７の端と、拡大画像データ６の右端が一致するように、ｑ列目の分割領域７を配置する。
【００７８】
また、制御部１は、分割領域７の左上隅と、拡大画像データ６の左上隅とが一致するように、１行１列目の分割領域７を配置する。制御部１は、分割領域７の左下隅と、拡大画像データ６の左下隅とが一致するように、ｐ行１列目の分割領域７を配置する。制御部１は、分割領域７の右上隅と、拡大画像データ６の右上隅とが一致するように、１行ｑ列目の分割領域７を配置する。制御部１は、分割領域７の右下隅と、拡大画像データ６の右下隅とが一致するように、ｐ行ｑ列目の分割領域７を配置する。
【００７９】
また、制御部１は、縦方向で隣接する分割領域７において、各のりしろ８の縦方向の幅が等しくなるように、分割領域７を配置する。制御部１は、横方向で隣接する分割領域７において、各のりしろ８の横方向の幅が等しくなるように、分割領域７を配置する。
【００８０】
図９に示すように、印刷用紙Ｐ（分割領域７）のサイズがＡ３サイズであり、最終目的物がＡ１サイズである場合、ランドスケープパターンでのｐは２となる（ｐ＝２）。また、ｑは３となる（ｑ＝３）となる。この場合、制御部１は、拡大画像データ６を６個（２×３）の分割領域７で分割する。図９では、各分割領域７に異なる網掛けを施している。分割領域７が重なっている部分（図８において網掛けが重なっている部分）がのりしろ８となる。のりしろ８を基準幅２２以上とするので、印刷マージン領域Ｍ１に情報が含まれていても、欠損する情報がない。
【００８１】
制御部１は、ポートレートパターンとランドスケープパターンのうち、分割領域７が少ない方のパターンを第２分割パターンとする（ステップ♯２１０）。ポートレートパターンの方が分割領域７の数が少ないとき、制御部１は、ポートレートパターンを第２分割パターンとする。ランドスケープパターンの方が分割領域７の数が少ないとき、制御部１は、ランドスケープパターンを第２分割パターンとする。
【００８２】
そして、制御部１は、定めた第２分割パターンで拡大画像データ６を分割する（ステップ♯２１１）。そして、制御部１は、異なる印刷用紙Ｐへの各分割領域７の印刷を印刷部５に行わせる（ステップ♯２１２→エンド）。
【００８３】
このようにして、実施形態に係る画像形成装置（複合機１００）は、受付部（操作パネル４、通信部１３）、印刷部５、制御部１（制御回路１０、画像処理回路１１）を含む。受付部は、拡大連写を行う設定と、最終目的物のサイズである指定サイズと、拡大連写で印刷に用いる印刷用紙Ｐのサイズの設定を受け付ける。印刷部５は、印刷用紙Ｐに印刷を行う。制御部１は、印刷用紙Ｐのうち印刷マージン領域Ｍ１を印刷させず、印刷マージン領域Ｍ１外への印刷を印刷部５に行わせる。印刷マージン領域Ｍ１は、印刷用紙Ｐの端から予め定められたマージン幅Ｗ０だけ内側までの領域である。拡大連写を行う場合、制御部１は、設定された指定サイズになるように原稿の画像データを拡大して拡大画像データ６を生成する。制御部１は、印刷用紙Ｐとサイズが同じ分割領域７で拡大画像データ６を分割する分割パターンとして、第１分割パターンを定める。第１分割パターンは、分割領域７間で隙間ができないように分割領域７を配置し、かつ、分割領域７の個数を最小とする分割パターンである。制御部１は、第１分割パターンで分割したときののりしろ８の幅が予め定められた基準幅２２以下であるか否かを確認する。のりしろ８の幅が基準幅２２以下の場合、制御部１は、第１分割パターンで拡大画像データ６を分割したときの各分割領域７での印刷マージン領域Ｍ１を確認して、情報欠損が生ずるか否かを判定する。情報欠損が生ずると判定したとき、制御部１は、分割パターンとして第２分割パターンを定める。制御部１は、第２分割パターンで拡大画像データ６を分割し、異なる印刷用紙Ｐへの各分割領域７の印刷を印刷部５に行わせる。情報欠損が生じないと判定したとき、制御部１は、第１分割パターンで拡大画像データ６を分割し、異なる印刷用紙Ｐへの各分割領域７の印刷を印刷部５に行わせる。のりしろ８は、分割領域７の重なる部分である。第２分割パターンは、第１分割パターンよりも分割領域７を増やし、のりしろ８の幅を基準幅２２よりも広くする分割パターンである。基準幅２２は、マージン幅Ｗ０よりも広い。
【００８４】
この構成によれば、少ない印刷枚数で（第１分割パターンで）拡大連写をしたとき、文字や図形のような情報の欠損が生ずるか否かを判定することができる。情報の欠損が生ずると判定したとき、基準幅２２以上ののりしろ８が印刷される分割パターンで（第２分割パターン）で拡大連写がなされる。拡大連写の印刷物を貼り合わせた場合、情報の欠落のない大判印刷物を得ることができる。第１分割パターンで印刷しても情報の欠損が生じないと判定できた場合には、第１分割パターンで拡大連写がなされる。拡大連写で用いる用紙の枚数を最小限とすることができる。拡大連写の印刷物を貼り合わせても、情報の欠落がわからない（目立たない）大判印刷物を得ることができる。第１分割パターンに基づき拡大連写の印刷を行うか、第２分割パターンに基づき拡大連写の印刷を行うかを自動で判別することができる。
【００８５】
第２分割パターンを定めるとき、制御部１は、ポートレートの分割領域７で拡大画像データ６を分割するパターンであるポートレートパターンと、ランドスケープの分割領域７で拡大画像データ６を分割するパターンであるランドスケープパターンを定める。制御部１は、ポートレートパターンとランドスケープパターンのうち、分割領域７が少ない方のパターンを第２分割パターンと定める。拡大連写で使用する印刷用紙Ｐの枚数が少なくなるように、第２分割パターンを定めることができる。第２分割パターンに基づき拡大連写をするときでも、使用する用紙の枚数を最小限とすることができる。
【００８６】
ポートレートパターンとランドスケープパターンを定めるとき、制御部１は、横方向でののりしろ８の幅が基準幅２２より広くなる配列数のうち、最小値を横方向での分割領域７の配列数とする。制御部１は、縦方向でののりしろ８の幅が基準幅２２より広くなる配列数のうち、最小値を縦方向での分割領域７の配列数とする。第２分割パターンでの印刷枚数をできるだけ減らすことができる。
【００８７】
最終目的物の面積が印刷用紙Ｐの面積の整数倍の場合、制御部１は、分割領域７間で隙間がなく、かつ、分割領域７が重ならないように並べた第１分割パターンを定める。拡大連写での印刷枚数が最小となるように、第１分割パターンを定めることができる。
【００８８】
制御部１は、第１分割パターンでの各分割領域７の印刷マージン領域Ｍ１全体に含まれる画素であって、画素値が予め定められた濃度判定範囲２３外の画素の画素数を求める。求めた画素数が予め定められた上限値２４を超えているとき、制御部１は、情報欠損が生ずると判定する。求めた画素数が上限値２４以下のとき、制御部１は、情報欠損が生じないと判定する。一般に、文字、模様、図形、表のような情報を伝える部分は、高濃度の画素を用いて描かれる。この構成によれば、空白とみなす範囲外に高濃度の画素が存在するとき、情報欠損が生ずると判定することができる。
【００８９】
本発明の実施形態を説明したが、本発明の範囲はこれに限定されるものではなく、発明の主旨を逸脱しない範囲で種々の更新を加えて実施することができる。
【産業上の利用可能性】
【００９０】
本発明は、画像形成装置に使用可能である。
【符号の説明】
【００９１】
１００  複合機（画像形成装置）        １      制御部
１０    制御回路                      １１    画像処理回路
１３    通信部（受付部）              ２２    基準幅
２３    濃度判定範囲                  ２４    上限値
４      操作パネル（受付部）          ５      印刷部
６      拡大画像データ                ７      分割領域
８      のりしろ                      Ｍ１    印刷マージン領域
【図１】
2020182144.tif 000003
【図２】
2020182144.tif 000004
【図３】
2020182144.tif 000005
【図４】
2020182144.tif 000006
【図５】
2020182144.tif 000007
【図６】
2020182144.tif 000008
【図７】
2020182144.tif 000009
【図８】
2020182144.tif 000010
【図９】
2020182144.tif 000011